(57)【要約】【課題】  メタルラックの多重組合せ位置決め装置の提供。【解決手段】  複数の支柱に嵌合管を具えた棚が嵌合されてなるメタルラックにあって、テーパ形連結シートと一組のテーパ形係止位置決め片により、棚と支柱が位置決めされ、且つテーパ形連結シートが調整足或いは車輪座体等に組合せ可能とされ、マッシュルーム型ストッパプラグが支柱の上端及び棚の嵌合管に螺合されて、強固にラック構造が位置決めされ、上述のテーパ形連結シート、テーパ形係止位置決め片とマッシュルーム型ストッパプラグが応用された組合せ構造によりメタルラックの組立が容易となり、良好な位置決め機能が得られ、全体的に新規性と経済性及び実用性を具備するものとされる。【選択図】        図２
2006068073.tif 000002
【特許請求の範囲】
【請求項１】
メタルラックの多重組合せ位置決め装置において、該メタルラックは、少なくとも、
内周にネジ山を具えた上スクリューロッドと下スクリューロッドが相互に螺合、接続され、棚の組み合わせに供される、支柱と、
結束スリーブを結束する嵌合管を具えて支柱と組み合わされてラックを形成する棚と、  ストッパフランジを具え、対称な２つの片体が組み合わされてなり、その内壁に環状リブが設けられて支柱の環状溝に嵌合され、並びに片体の底部に設けられたストッパフランジが支柱と棚の組合せ後に棚の嵌合管底部を固定する、テーパ形係止位置決め片と、
を具えたことを特徴とする、メタルラックの多重組合せ位置決め装置。
【請求項２】
複数の支柱に複数の金属製の棚が組み合わされてなるメタルラックの多重組合せ位置決め装置において、
テーパ形連結シートが二つの支柱間或いは支柱底部に設けられ、それは一体成形されて中空を呈し且つテーパ形の底座を具え、該底座の内部にネジ山があり、該底座の底部に側方に延伸されたストッパフランジが設けられ、且つ底座の上端よりスクリューロッドが延伸され、該底座が支柱の底部に螺嵌され、更に棚の嵌合管に該テーパ形連結シートが挿入され、そのテーパ形により強固に該棚を位置決めすることを特徴とする、メタルラックの多重組合せ位置決め装置。
【請求項３】
請求項２記載のメタルラックの多重組合せ位置決め装置において、支柱に組み合わされるテーパ形連結シートの底座内のネジ山部分に全ネジボルトが螺合され、テーパ形連結シートが上下にスクリューロッドを具備するものとされて、上下のスクリューロッドに上下の支柱が接続され、多機能接続方式を具えたメタルラックの組合せ装置が形成されることを特徴とする、メタルラックの多重組合せ位置決め装置。
【請求項４】
請求項１記載のメタルラックの多重組合せ位置決め装置において、支柱の上端の位置決め装置がマッシュルーム型ストッパプラグとされ、該マッシュルーム型ストッパプラグの下部がネジ山を具えたプラグシートとされ、マッシュルーム型ストッパプラグが支柱の開口部分に螺嵌され、マッシュルーム型ストッパプラグの上端の係止とプラグシートの締めつけに、支柱と棚間に設けられたテーパ形係止位置決め片のテーパ形の緊迫とストッパフランジの係止の多重位置決め方式により、棚が支柱の上端部分を被覆すると共に、強固な位置決めが達成されることを特徴とする、メタルラックの多重組合せ位置決め装置。
【請求項５】
請求項１記載のメタルラックの多重組合せ位置決め装置において、テーパ形係止位置決め片の上端外側に係止リブが設けられてその底端のストッパフランジと組み合わされて相互に挟持する機能を発生するか、或いは棚の嵌合管の上端内側に嵌合溝が設けられ、棚がテーパ形係止位置決め片に強固に嵌合されて脱出防止されたことを特徴とする、メタルラックの多重組合せ位置決め装置。
【請求項６】
請求項１記載のメタルラックの多重組合せ位置決め装置において、結合スクリューロッドにより上スクリューロッドと下スクリューロッドが結合され、該結合スクリューロッドの上端と下端にネジ山が設けられ、且つ中央にフランジが凸設され、上スクリューロッドと下スクリューロッドと該フランジの間に環状溝が形成されて、内壁に環状リブを具えたテーパ形係止位置決め片が上スクリューロッドと下スクリューロッドの間の環状溝内を結束し、該環状リブとフランジが相互に係止し、強固な位置決めを形成することを特徴とする、メタルラックの多重組合せ位置決め装置。
【請求項７】
請求項１記載のメタルラックの多重組合せ位置決め装置において、テーパ形係止位置決め片は戸板の嵌合管の嵌合に供され、そのテーパ形とストッパフランジの係止により強固な位置決めを形成し構造強度を高めることを特徴とする、メタルラックの多重組合せ位置決め装置。
【請求項８】
請求項２又は請求項４記載のメタルラックの多重組合せ位置決め装置において、テーパ形連結シートとマッシュルーム型ストッパプラグが組み合わされ、棚の一側がフック片のフック部で保持され、並びにフック片の別端が穿孔を通して壁面に固定されて吊り棚を形成したことを特徴とする、メタルラックの多重組合せ位置決め装置。
【請求項９】
請求項２記載のメタルラックの多重組合せ位置決め装置において、テーパ形連結シートの底座の側部に上向きに突伸する一組の対応設置されたリブが設けられ、該リブの上端に外向きのフランジが形成され、各支柱の接続部分或いは支柱底端、或いはテーパ形連結シートと接続される嵌合管上端内部に嵌合溝が形成され、テーパ形連結シートの半環円弧状リブに設けられた外向きフランジと相互に嵌合され、強固な挟持位置決めを形成することを特徴とする、メタルラックの多重組合せ位置決め装置。
【請求項１０】
請求項２記載のメタルラックの多重組合せ位置決め装置において、テーパ形連結シートの底部にプラグキャップが挿入されてその中空部を遮蔽したことを特徴とする、メタルラックの多重組合せ位置決め装置。
【請求項１１】
請求項２記載のメタルラックの多重組合せ位置決め装置において、テーパ形連結シートの底座の下方に外径が底座より大きく且つ同じ雌ネジを具えたストッパフランジが形成され、テーパ形連結シートが支柱底端の管口部分に挿入され、更に棚の嵌合管とテーパ形連結シートが嵌合位置決めされて棚が位置決めされ、並びにテーパ形連結シートの下方に調整足或いは車輪座体が螺合されて、調整足の調整により全体構造の高さが調整可能とされ、或いは車輪座体により全体構造が移動可能とされたことを特徴とする、メタルラックの多重組合せ位置決め装置。
【請求項１２】
請求項１１記載のメタルラックの多重組合せ位置決め装置において、調整足或いは車輪座体のテーパ形連結シートと接続される部分が上端に弾性係止具を具えた接続端とされ、それがテーパ形連結シート底部に挿入され、弾性係止具がテーパ形連結シートの上端を係止し、該調整足或いは車輪座体の底部と接続端の間の肩部がテーパ形連結シートの内側の肩部に当接し、これにより調整足或いは車輪座体がテーパ形連結シートと嵌合固定されたことを特徴とする、メタルラックの多重組合せ位置決め装置。
【請求項１３】
請求項１記載のメタルラックの多重組合せ位置決め装置において、複数の支柱及び棚及びテーパ形係止位置決め片を利用し、奥行きが上が短く下が長く中間が左右の支柱で支持されたラック構造が形成され、中間層の支柱が所定角度で且つ上端と下端に嵌合管が溶接された接続棒で棚に接続され、上方のラックを支持し、スクリューロッドを具えた回転キャップを利用し、下から上に接続棒の上方の嵌合管と棚の嵌合管に結合されたテーパ形連結シートが接続され、且つ接続棒の下方の嵌合管が直接支柱のテーパ形連結シートに組付けられたことを特徴とする、メタルラックの多重組合せ位置決め装置。
【発明の詳細な説明】
【技術分野】
【０００１】
本発明は一種のメタルラックの多重組合せ位置決め装置に係り、特に、棚、支柱、嵌合管及び支柱を結束する結束スリーブで組成されたラックにあって、テーパ形連結シート、テーパ形係止位置決め片及びマッシュルーム型ストッパプラグの設計をラックに応用することで、使用者が簡単に組立られ且つ強固で容易な位置決めが行なえる組合せ構造を提供し、全体構造の実用性を高めるメタルラックの多重組合せ位置決め装置に関する。
【背景技術】
【０００２】
一般に周知のラックは図１５、１６に示されるように、複数の環状溝１１１が形成された金属製の支柱１０に、二つの同じ結束スリーブ３０が該支柱１０を結束するように組み合わされ、更に嵌合管４１を利用して複数の棒体が溶接されてなる棚４０が、該支柱１０に組み合わされた結束スリーブ３０に嵌合、位置決めされ、ラックが形成されている。この構造と棚の形成する載置面は使用者が各種物品を放置するのに利用される。且つ支柱１０上端の管口部分にプラグキャップ８０が挿入されて、支柱の中空部分が閉鎖され、また、支柱１０末端に車輪座体９０が螺合されて、全体構造が移動可能とされ、こうしてメタルラックの組合せ構造が形成される。
【０００３】
このようなメタルラックは、支柱の環状溝に組付けられた結束スリーブに棚の嵌合管が組み合わされ、それは環状溝に位置決めする方式に制限され、且つ結束スリーブによる結束が必要で、棚を自在に延伸し組合せることができず、且つその部品が複雑で、棚が平面の変形や弯曲により一部の角が取り付け後に起き上がり、結束スリーブより脱出し、位置決め不能となりやすい欠点がある。また、このラックの支柱の管口部分は僅かにプラグキャップにより閉じられているだけで、それは装飾効果を具備するだけで、有効な位置決めの機能を有さず、且つ一般に使用者がこのようなラックを運搬する時、習慣的に最上層の棚を持ち上げるが、このとき、棚の嵌合管がプラグキャップを押圧して脱出させてしまうことがあり、ラックの構造強度に影響が生じ、更には棚の嵌合管が支柱より脱出し、ラック構造がゆるみ、ラックとしての機能を達成できなくなることがある。
【発明の開示】
【発明が解決しようとする課題】
【０００４】
本発明は一種のメタルラックの多重組合せ位置決め装置を提供することを目的とし、それは、テーパ形連結シート、テーパ形係止位置決め片とマッシュルーム型ストッパプラグを、周知の結束スリーブとプラグキャップ等の機能の代わりに採用し、このような機構の組合せにより、全体構造強度を強化し且つ部品を減らして経済的とする効果を達成し、且つその具備する多様な組立方式と取り付けに便利な特性により、使用者に良好な位置決め効果を提供し、実用効果が高いメタルラックの多重組合せ位置決め装置であるものとする。
【課題を解決するための手段】
【０００５】
請求項１の発明は、メタルラックの多重組合せ位置決め装置において、該メタルラックは、少なくとも、
内周にネジ山を具えた上スクリューロッドと下スクリューロッドが相互に螺合、接続され、棚の組み合わせに供される、支柱と、
結束スリーブを結束する嵌合管を具えて支柱と組み合わされてラックを形成する棚と、ストッパフランジを具え、対称な２つの片体が組み合わされてなり、その内壁に環状リブが設けられて支柱の環状溝に嵌合され、並びに片体の底部に設けられたストッパフランジが支柱と棚の組合せ後に棚の嵌合管底部を固定する、テーパ形係止位置決め片と、
を具えたことを特徴とする、メタルラックの多重組合せ位置決め装置としている。
請求項２の発明は、複数の支柱に複数の金属製の棚が組み合わされてなるメタルラックの多重組合せ位置決め装置において、
テーパ形連結シートが二つの支柱間或いは支柱底部に設けられ、それは一体成形されて中空を呈し且つテーパ形の底座を具え、該底座の内部にネジ山があり、該底座の底部に側方に延伸されたストッパフランジが設けられ、且つ底座の上端よりスクリューロッドが延伸され、該底座が支柱の底部に螺嵌され、更に棚の嵌合管に該テーパ形連結シートが挿入され、そのテーパ形により強固に該棚を位置決めすることを特徴とする、メタルラックの多重組合せ位置決め装置としている。
請求項３の発明は、請求項２記載のメタルラックの多重組合せ位置決め装置において、支柱に組み合わされるテーパ形連結シートの底座内のネジ山部分に全ネジボルトが螺合され、テーパ形連結シートが上下にスクリューロッドを具備するものとされて、上下のスクリューロッドに上下の支柱が接続され、多機能接続方式を具えたメタルラックの組合せ装置が形成されることを特徴とする、メタルラックの多重組合せ位置決め装置としている。
請求項４の発明は、請求項１記載のメタルラックの多重組合せ位置決め装置において、支柱の上端の位置決め装置がマッシュルーム型ストッパプラグとされ、該マッシュルーム型ストッパプラグの下部がネジ山を具えたプラグシートとされ、マッシュルーム型ストッパプラグが支柱の開口部分に螺嵌され、マッシュルーム型ストッパプラグの上端の係止とプラグシートの締めつけに、支柱と棚間に設けられたテーパ形係止位置決め片のテーパ形の緊迫とストッパフランジの係止の多重位置決め方式により、棚が支柱の上端部分を被覆すると共に、強固な位置決めが達成されることを特徴とする、メタルラックの多重組合せ位置決め装置としている。
請求項５の発明は、請求項１記載のメタルラックの多重組合せ位置決め装置において、テーパ形係止位置決め片の上端外側に係止リブが設けられてその底端のストッパフランジと組み合わされて相互に挟持する機能を発生するか、或いは棚の嵌合管の上端内側に嵌合溝が設けられ、棚がテーパ形係止位置決め片に強固に嵌合されて脱出防止されたことを特徴とする、メタルラックの多重組合せ位置決め装置としている。
請求項６の発明は、請求項１記載のメタルラックの多重組合せ位置決め装置において、結合スクリューロッドにより上スクリューロッドと下スクリューロッドが結合され、該結合スクリューロッドの上端と下端にネジ山が設けられ、且つ中央にフランジが凸設され、上スクリューロッドと下スクリューロッドと該フランジの間に環状溝が形成されて、内壁に環状リブを具えたテーパ形係止位置決め片が上スクリューロッドと下スクリューロッドの間の環状溝内を結束し、該環状リブとフランジが相互に係止し、強固な位置決めを形成することを特徴とする、メタルラックの多重組合せ位置決め装置としている。
請求項７の発明は、請求項１記載のメタルラックの多重組合せ位置決め装置において、テーパ形係止位置決め片は戸板の嵌合管の嵌合に供され、そのテーパ形とストッパフランジの係止により強固な位置決めを形成し構造強度を高めることを特徴とする、メタルラックの多重組合せ位置決め装置としている。
請求項８の発明は、請求項２又は請求項４記載のメタルラックの多重組合せ位置決め装置において、テーパ形連結シートとマッシュルーム型ストッパプラグが組み合わされ、棚の一側がフック片のフック部で保持され、並びにフック片の別端が穿孔を通して壁面に固定されて吊り棚を形成したことを特徴とする、メタルラックの多重組合せ位置決め装置としている。
請求項９の発明は、請求項２記載のメタルラックの多重組合せ位置決め装置において、テーパ形連結シートの底座の側部に上向きに突伸する一組の対応設置されたリブが設けられ、該リブの上端に外向きのフランジが形成され、各支柱の接続部分或いは支柱底端、或いはテーパ形連結シートと接続される嵌合管上端内部に嵌合溝が形成され、テーパ形連結シートの半環円弧状リブに設けられた外向きフランジと相互に嵌合され、強固な挟持位置決めを形成することを特徴とする、メタルラックの多重組合せ位置決め装置としている。
請求項１０の発明は、請求項２記載のメタルラックの多重組合せ位置決め装置において、テーパ形連結シートの底部にプラグキャップが挿入されてその中空部を遮蔽したことを特徴とする、メタルラックの多重組合せ位置決め装置としている。
請求項１１の発明は、請求項２記載のメタルラックの多重組合せ位置決め装置において、テーパ形連結シートの底座の下方に外径が底座より大きく且つ同じ雌ネジを具えたストッパフランジが形成され、テーパ形連結シートが支柱底端の管口部分に挿入され、更に棚の嵌合管とテーパ形連結シートが嵌合位置決めされて棚が位置決めされ、並びにテーパ形連結シートの下方に調整足或いは車輪座体が螺合されて、調整足の調整により全体構造の高さが調整可能とされ、或いは車輪座体により全体構造が移動可能とされたことを特徴とする、メタルラックの多重組合せ位置決め装置としている。
請求項１２の発明は、請求項１１記載のメタルラックの多重組合せ位置決め装置において、調整足或いは車輪座体のテーパ形連結シートと接続される部分が上端に弾性係止具を具えた接続端とされ、それがテーパ形連結シート底部に挿入され、弾性係止具がテーパ形連結シートの上端を係止し、該調整足或いは車輪座体の底部と接続端の間の肩部がテーパ形連結シートの内側の肩部に当接し、これにより調整足或いは車輪座体がテーパ形連結シートと嵌合固定されたことを特徴とする、メタルラックの多重組合せ位置決め装置としている。
請求項１３の発明は、請求項１記載のメタルラックの多重組合せ位置決め装置において、複数の支柱及び棚及びテーパ形係止位置決め片を利用し、奥行きが上が短く下が長く中間が左右の支柱で支持されたラック構造が形成され、中間層の支柱が所定角度で且つ上端と下端に嵌合管が溶接された接続棒で棚に接続され、上方のラックを支持し、スクリューロッドを具えた回転キャップを利用し、下から上に接続棒の上方の嵌合管と棚の嵌合管に結合されたテーパ形連結シートが接続され、且つ接続棒の下方の嵌合管が直接支柱のテーパ形連結シートに組付けられたことを特徴とする、メタルラックの多重組合せ位置決め装置としている。
【発明の効果】
【０００６】
本発明は従来の技術と比較すると、以下のような機能を達成している。
１．組合せ構造の簡易化：  本発明のテーパ形連結シートの設計は周知の構造の結束スリーブの機能を果たし、全体構造を改良する効果を達成する。
２．良好な位置決め機能：  本発明の多機能の連結シートは管柱状のテーパ形柱体とされて、支柱、車輪座体等の部品と接続され、且つそのテーパ形の緊迫により、支柱と棚の嵌合管を強固の位置決めし、また、マッシュルーム型ストッパプラグが有するネジ山が支柱に螺合されると共に棚を固定する構造と、テーパ形連結シート或いはテーパ形係止位置決め片の組付けにより、各棚の位置決めが正確に行なわれ、それに戸板が組み合わされた後に、戸板を閉じられなくなる問題が発生せず、極めて良好な位置決め効果を有する。
３．多機能接続：  本発明のテーパ形連結シートは多様な組付け方式を有し、それは支柱間の接続を提供し、並びに調整足或いは車輪座体との接続を提供し、多機能の接続機能を有する。
４．取り付けに便利：  本発明のテーパ形連結シートとマッシュルーム型ストッパプラグに採用されたネジ山設計は、その組付け方式が簡単で、使用者による取り付けに便利である。
【発明を実施するための最良の形態】
【０００７】
図１から図２に示されるように、本考案は一種のメタルラックの多重組合せ位置決め装置を提供し、この組合せ位置決め装置は、複数の支柱１０、複数のテーパ形連結シート２０、複数のテーパ形係止位置決め片３１が、複数の棚４０及び複数のマッシュルーム型ストッパプラグ５０で構成されている。そのうち、該支柱１０は、上スクリューロッド１１と下スクリューロッド１２が螺合方式で結合され、該支柱１０の外周に複数の環状溝１１１が設けられて、対照に組み合わされるテーパ形係止位置決め片３１（結束スリーブ状とされる）による結束に供される。テーパ形連結シート２０は中空テーパ形座体に設計され、そのテーパ形底座２０２に側方に向けてストッパフランジ２０１が延設され、底座２０２内部に雌ネジ２０４が設けられ、且つ底座２０２の上方にスクリューロッド２０３が延設され、この底座２０２の雌ネジ２０４の内径はスクリューロッド２０３の内径より大きく、その接続部分に肩面２０５が形成され、それはテーパ形連結シート２０が支柱１０の底部に螺合され、さらに棚４０の嵌合管４１が直接テーパ形連結シート２０の底座２０２に嵌合され、そのテーパ形の緊迫により、位置決めの機能が達成され、周知の構造中の結束スリーブ３０装置が省略され、本考案のテーパ形連結シート２０の組付けにより、その組付け位置は直接支柱１０の底端とされ、これにより棚４０が支柱１０の最底端に設置可能とされ、更に棚４０の設置空間が増される。テーパ形連結シート２０の底部にはプラグキャップ２５が挿入され、これによりテーパ形連結シート２０の露出部分がカバーされる。本考案の特徴は以下のとおりである。
【０００８】
図３に示されるのはテーパ形係止位置決め片３１が上スクリューロッド１１の環状溝１１１内を結束した状態であり、該テーパ形係止位置決め片３１は二つの片体が嵌合式に組み合わされてなるテーパ形スリーブ構造とされ、その内壁に環状リブ３１１が設けられ、そのテーパ形の底端外側にストッパフランジ３１２が形成され、並びに該テーパ形係止位置決め片３１の上端外側に係止リブ３１３が形成され、並びに棚４０の嵌合管４１の上端内部にそれに対応する嵌め溝４１２が形成され、嵌合管４１が該テーパ形係止位置決め片３１に嵌合されて、嵌合管４１が下端のストッパフランジ３１２に係止され、その上端が係止リブ３１３に係止され、環状リブ３１１、ストッパフランジ３１２、係止リブ３１３の三重の位置決めが提供され、これにより嵌合管４１がテーパ形係止位置決め片３１により有効な係止、位置決めの機能を達成する。更に、図４を参照されたい。該テーパ形係止位置決め片３１のテーパ形底端外側にストッパフランジ３１２のみが形成され、一般の上端に嵌め溝が形成されていない棚の嵌合管に適用可能とされて嵌合管４１が該テーパ形係止位置決め片３１に嵌合され並びにストッパフランジ３１２により位置決めされる。且つ別に本発明のマッシュルーム型ストッパプラグ５０位置決め装置により、即ち、下方にスクリューロッド５２を具えたプラグ５０の設計により、上から下に支柱１０が螺嵌され、並びに該マッシュルーム型ストッパプラグ５０の上方のストッパ端面５１により棚の嵌合管４１の上端面４１１を被覆し、使用者に極めて良好な強固な位置決め効果を提供し、使用者によるラックの運搬によりカバーが離脱して構造の組合せ強度に影響が生じる欠点を有さないものとされる。
【０００９】
更に図５に示されるように、結合スクリューロッド３２により上スクリューロッド１１と下スクリューロッド１２が螺合方式で結合され、該結合スクリューロッド３２の上端と下端の外周に等径のネジ山３２１が凸設され、且つその中段の周囲にフランジ３２２が凸設され、このフランジ３２２はネジ山３２１よりやや突出して上スクリューロッド１１、下スクリューロッド１２の底端、上端内部に設けられた雌ネジと螺合し、上スクリューロッド１１、下スクリューロッド１２と結合スクリューロッド３２のフランジ３２２の間に環状溝１５が形成され、更に内壁に環状リブ３１１が設けられたテーパ形係止位置決め片３１により上スクリューロッド１１、下スクリューロッド１２間の環状溝１５が結束され、棚の嵌合管４１がテーパ形係止位置決め片３１に嵌合され、並びにストッパフランジ３１２と係止リブ３１３により係止される。そのうち、該環状リブ３１１とフランジ３２２は相互に当接し、安定した位置決め機能を達成し、棚４０が強力な衝撃を受けてテーパ形係止位置決め片３１の環状リブ３１１が支持不能となり脱出して滑り落ちるのを防止する。
【００１０】
図６に示されるように、本発明のテーパ形連結シート２０の底端には全ネジボルト２４がねじ込まれ、その上下端は上スクリューロッド１１、下スクリューロッド１２に連結され、更に棚４０の嵌合管４１の嵌合により、上スクリューロッド１１、下スクリューロッド１２を連結可能な連結シートが形成され、無限に延伸できる機能を達成できる。
【００１１】
図７、８に示されるように、弾性係止具２６１を具えた連結端を有する車輪座体２６
が下から上に該テーパ形連結シート２０内に嵌め込まれ、その底座と弾性係止具２６１間の端面がテーパ形連結シート２０内の肩面２０５に当接し、且つ弾性係止具２６１のフック部２６２がテーパ形連結シート２０の上端面２０６を係止し、弾性係止具２６１を具えた連結シートを固定し、ラックにスライド可能な機能を具備させる。図９、１０に示される実施例では、本発明のテーパ形連結シート２１は下向きに延伸されて、底端にストッパフランジ２１１を具えた底座２１２が形成され、その構造強度が高められ、ラック底部に組付けられる時に良好な支持力を具備するものとされ、且つ該テーパ形連結シート２１内部の雌ネジ２１４は底座２１２の底部まで延伸され、それはネジ柱２７１、２８１を具えた調整足２７或いは車輪座体２８と螺合され、ネジ柱２７１、２８１が下から上にテーパ形連結シート２１内部に螺合され、且つ弾性係止具２８１を具えた車輪座体２８が底座２１２を具えたテーパ形連結シート２１に組み合わされ、こうして使用者が調整足２７を回して全体の高さを調整するか、車輪で移動可能とされる。
【００１２】
本発明のテーパ形連結シート２０、テーパ形係止位置決め片３１とマッシュルーム型ストッパプラグ５０は強固な位置決め機能を具えたラックを形成し、それは創意性を具えた組付け方式を実施可能である。図１１に示されるのは本発明の実施例図であり、それは、フック６０の設置が組み合わされて、複数のフック６０の一端のフック部６１がラックに係止され、フック６０の別端の片体が穿孔６２により壁或いは適宜支持面に固定され、こうして吊り棚Ｂの構造設計が形成され、ラック構造が極めて創意性を有する方式で現出される。
【００１３】
本発明の別の実施例ではラックが創意性を以て架設され、家具を積み上げる架設方式で、複数のラックと複数の支柱が無限に延伸可能に組み合わされる。図１２に示されるように、ラックの奥行きは上が小さく下が大きく、中間層が露出したラック構造とされ、上が小さく下が大きい構造は、上部のせん断力が完全に支柱１３に支持され、支柱１３だけで上方のラックを支持すると、支持力不足となる恐れがあるため、受け座が必ず設置され、それは所定角度の接続棒１４の上下端に嵌合管１４１が溶接され、その上端の嵌合管１４１に、一端にスクリューロッド７１を具えた回転キャップ７０が下から上に挿入されて、棚の嵌合管４１に接続されたテーパ形連結シート２２に螺嵌され、並びに下方の嵌合管１４１が支柱１０のテーパ形連結シート２２に嵌合され、こうしてラックと結合され、強固な支持力を具えた受け座装置が形成され、ラックが無限に延伸可能とされる。
【００１４】
また、図１３に示される実施例では、テーパ形連結シート２２の底座２２２の側部に上向きに突出する少なくとも一組の対応設置された半環円弧状リブ２２５が設けられて、管径が比較的小さい支柱１０と嵌合管４１間の空隙の補填を提供し、且つ該リブ２２５の上端に外向きのフランジ２２６が設けられ、並びにそれが嵌合管４１の上端内部に設置された嵌め溝４１３と挿嵌されえ相互に位置決めされ、このリブ２２５と外向きのフランジ２２６の設計により、強固な挟持位置決めの効果が提供され、テーパ形連結シート２２がストッパフランジ２２１による係止、スクリューロッド２２３の締めつけ及びリブ２２５の挟持位置決めの三重の安定した位置決め機能を有し、またリブと外向きフランジの設計は本発明のストッパフランジ２３１を具えたテーパ形連結シート２３にも応用可能で、支柱末端の強固な位置決め機能を提供する。これにより、本発明はリブ２２５を具えたテーパ形連結シート２２が各支柱間の相互接続に応用されるか、或いはテーパ形連結シート２３が支柱底端に組付けられて、安定した位置決めの機能を達成し、実用性が高められている。
【００１５】
本発明のメタルラックの多重組合せ位置決め装置は、テーパ形連結シート、テーパ形係止位置決め片とマッシュルーム型ストッパプラグでラックの組合せ位置決め装置が形成され、且つこの構造設計は周知の構造の結束スリーブとプラグキャップの機能の代わりに採用されて、メタルラック構造の強固な位置決め機能を提供し、且つ簡単組立の機能を達成し、極めて実用性を有している。その構造はその出願前に頒布された刊行物に記載がなく、また公開使用されていないため新規性を有している。
【図面の簡単な説明】
【００１６】
【図１】本発明のメタルラックの多重組合せ位置決め装置の立体組合せ図である。
【図２】本発明のメタルラックの多重組合せ位置決め装置の立体分解図である。
【図３】本発明のテーパ形係止位置決め片と棚の嵌合管の結合の実施例図である。
【図４】本発明のテーパ形係止位置決め片と棚の嵌合管の結合の別の実施例図である。
【図５】本発明のテーパ形係止位置決め片とスクリューロッドの結合の実施例図である。
【図６】本発明のテーパ形連結シートが全ネジボルトで支柱と接続される局部断面図である。
【図７】本発明の組合せ装置と弾性係止具の接続の立体分解図である。
【図８】本発明の組合せ装置と弾性係止具の組合せ断面図である。
【図９】本発明のメタルラックに調整足が接続された局部断面図である。
【図１０】本発明のメタルラックに車輪座体が接続された局部断面図である。
【図１１】本発明のメタルラックの吊り棚の実施例の組合せ表示図である。
【図１２】本発明のメタルラックの別の実施例表示図である。
【図１３】本発明のテーパ形連結シートの応用実施例の断面図である。
【図１４】本発明のテーパ形連結シートの応用実施例の断面図である。
【図１５】周知のメタルラックの上方の組合せ装置の局部断面図である。
【図１６】周知のメタルラックの下方に組付けられた車輪装置の局部断面図である。
【符号の説明】
【００１７】
Ａ  ラック
Ｂ  吊り棚
１０  支柱                      １１  上スクリューロッド
１１１  環状溝                  １２  下スクリューロッド
１３  支柱                      １４  接続棒
１４１  嵌合管                  １５  環状溝
２０  テーパ形連結シート        ２０１  ストッパフランジ
２０２  底座                    ２０３  スクリューロッド
２０４  雌ネジ                  ２０５  肩面
２０６  上端面
２１  テーパ形連結シート        ２１１  ストッパフランジ
２１２  底座                    ２１３  スクリューロッド
２１４  雌ネジ                  ２１５  肩面
２１６  上端面
２２  テーパ形連結シート        ２２１  ストッパフランジ
２２２  底座                    ２２３  スクリューロッド
２２４  雌ネジ                  ２２５  リブ
２２６  フランジ
２３  テーパ形連結シート        ２３１  ストッパフランジ
２３２  底座                    ２３３  スクリューロッド
２３４  雌ネジ                  ２３５  リブ
２３６  フランジ
２４  全ネジボルト              ２５  プラグキャップ
２６  車輪座体
２６１  弾性係止具              ２６２  フック部
２７  調整足                    ２７１  スクリューロッド
２８  車輪座体                  ２８１  スクリューロッド
３０  結束スリーブ              ３１  テーパ形係止位置決め片
３１１  環状リブ                ３１２  ストッパフランジ
３１３  係止リブ                ３２  結合スクリューロッド
３２１  ネジ山                  ３２２  フランジ
４０  棚                        ４１  嵌合管
４１１  上端面                  ４１２  嵌め溝
４１４  嵌め溝
５０  マッシュルーム型ストッパプラグ
５１  ストッパ端面
５２  スクリューロッド
６０  フック                    ６１  フック部
６２  穿孔
７０  回転キャップ              ７１  スクリューロッド
８０  プラグキャップ            ９０  車輪座体
【図１】
2006068073.tif 000003
【図２】
2006068073.tif 000004
【図３】
2006068073.tif 000005
【図４】
2006068073.tif 000006
【図５】
2006068073.tif 000007
【図６】
2006068073.tif 000008
【図７】
2006068073.tif 000009
【図８】
2006068073.tif 000010
【図９】
2006068073.tif 000011
【図１０】
2006068073.tif 000012
【図１１】
2006068073.tif 000013
【図１２】
2006068073.tif 000014
【図１３】
2006068073.tif 000015
【図１４】
2006068073.tif 000016
【図１５】
2006068073.tif 000017
【図１６】
2006068073.tif 000018